(57)【特許請求の範囲】
【請求項１】
ワイヤレス通信中にロケーションベースサービスを管理するための方法であって、
第１の無線アクセス技術（ＲＡＴ）のソース基地局から第２のＲＡＴのターゲット基地局へのユーザ機器の無線アクセス技術（ＲＡＴ）間システム変更を実行することと、
位置ロケーションセッションが起動しているかどうかを決定することと、
前記位置ロケーションセッションが起動しているとき、前記第１のＲＡＴとともに使用される測位プロトコルが前記第２のＲＡＴに適合するかどうかを決定することと、
前記第１のＲＡＴの前記測位プロトコルが前記第２のＲＡＴに適合するとき、前記測位プロトコルを用いて前記位置ロケーションセッションを継続することと、
前記測位プロトコルが前記第２のＲＡＴに適合しないとき、前記位置ロケーションセッションを再起動すること、または新しい位置ロケーションセッションのネットワーク開始を待つことのいずれかと、
前記位置ロケーションセッションが起動していないとき、前記第２のＲＡＴの測位プロトコルを用いて位置ロケーションセッションを開始することと
を備える、方法。
【請求項２】
前記ユーザ機器のインターネットプロトコルアドレスが前記ＲＡＴ間システム変更中に維持されるときを決定することと、
前記インターネットプロトコルアドレスが維持されるとき、前記位置ロケーションセッションが起動しているかどうかを決定することと、
前記インターネットプロトコルアドレスが維持されないとき、新しい位置ロケーションセッションを起動することと
をさらに備える、請求項１に記載の方法。
【請求項３】
トランスポートレイヤセキュリティ（ＴＬＳ）プロトコル交換が完了しているかどうかを決定することと、
前記ＴＬＳプロトコル交換が完了しているとき、セキュアユーザプレーンロケーションプロトコルタイムアウトが発生したかどうかを決定することと、
前記ＴＬＳプロトコル交換が完了しておらず、ＴＬＳプロトコルエラーが示されないとき、前記ＴＬＳプロトコル交換を継続することと、
ＴＬＳプロトコルエラーが示されたとき、前記ＴＬＳプロトコル交換を再起動することと
をさらに備える、請求項１に記載の方法。
【請求項４】
位置ロケーションセッションが起動しているかどうかを前記決定することは、セキュアユーザプレーンロケーション位置初期化メッセージが送られたかどうかを決定することを備える、請求項１に記載の方法。
【請求項５】
前記位置ロケーションセッションがＬｏｎｇ  Ｔｅｒｍ  Ｅｖｏｌｕｔｉｏｎ（ＬＴＥ）測位プロトコル（ＬＰＰ）を使用する、請求項１に記載の方法。
【請求項６】
第１の無線アクセス技術（ＲＡＴ）のソース基地局から第２のＲＡＴのターゲット基地局へのユーザ機器の無線アクセス技術（ＲＡＴ）間システム変更を実行するための手段と、
位置ロケーションセッションが起動しているかどうかを決定するための手段と、
前記位置ロケーションセッションが起動しているとき、前記第１のＲＡＴとともに使用される測位プロトコルが前記第２のＲＡＴに適合するかどうかを決定するための手段と、
前記第１のＲＡＴの前記測位プロトコルが前記第２のＲＡＴに適合するとき、前記測位プロトコルを用いて前記位置ロケーションセッションを継続するための手段と、
前記測位プロトコルが前記第２のＲＡＴに適合しないとき、前記位置ロケーションセッションを再起動すること、または新しい位置ロケーションセッションのネットワーク開始を待つことのいずれかを行うための手段と、
前記位置ロケーションセッションが起動していないとき、前記第２のＲＡＴの測位プロトコルを用いて位置ロケーションセッションを開始するための手段と
を備える、ワイヤレス通信のための装置。
【請求項７】
前記ユーザ機器のインターネットプロトコルアドレスが前記ＲＡＴ間システム変更中に維持されるときを決定するための手段と、
前記インターネットプロトコルアドレスが維持されるとき、前記位置ロケーションセッションが起動しているかどうかを決定するための手段と、
前記インターネットプロトコルアドレスが維持されないとき、新しい位置ロケーションセッションを起動するための手段と
をさらに備える、請求項６に記載の装置。
【請求項８】
トランスポートレイヤセキュリティ（ＴＬＳ）プロトコル交換が完了しているかどうかを決定するための手段と、
前記ＴＬＳプロトコル交換が完了しているとき、セキュアユーザプレーンロケーションプロトコルタイムアウトが発生したかどうかを決定するための手段と、
前記ＴＬＳプロトコル交換が完了しておらず、ＴＬＳプロトコルエラーが示されないとき、前記ＴＬＳプロトコル交換を継続するための手段と、
ＴＬＳプロトコルエラーが示されたとき、前記ＴＬＳプロトコル交換を再起動するための手段と
をさらに備える、請求項６に記載の装置。
【請求項９】
位置ロケーションセッションが起動しているかどうかを決定するための前記手段は、セキュアユーザプレーンロケーション位置初期化メッセージが送られたかどうかを決定するための手段を備える、請求項６に記載の装置。
【請求項１０】
前記位置ロケーションセッションがＬｏｎｇ  Ｔｅｒｍ  Ｅｖｏｌｕｔｉｏｎ（ＬＴＥ）測位プロトコル（ＬＰＰ）を使用する、請求項６に記載の装置。
【請求項１１】
少なくとも１つのコンピュータに、第１の無線アクセス技術（ＲＡＴ）のソース基地局から第２のＲＡＴのターゲット基地局へのユーザ機器の無線アクセス技術（ＲＡＴ）間システム変更を実行させるためのプログラムコードと、
少なくとも１つのコンピュータに、位置ロケーションセッションが起動しているかどうかを決定させるためのプログラムコードと、
前記位置ロケーションセッションが起動しているとき、少なくとも１つのコンピュータに、前記第１のＲＡＴとともに使用される測位プロトコルが前記第２のＲＡＴに適合するかどうかを決定させるためのプログラムコードと、
前記第１のＲＡＴの前記測位プロトコルが前記第２のＲＡＴに適合するとき、少なくとも１つのコンピュータに、前記測位プロトコルを用いて前記位置ロケーションセッションを継続させるためのプログラムコードと、
前記測位プロトコルが前記第２のＲＡＴに適合しないとき、少なくとも１つのコンピュータに、前記位置ロケーションセッションを再起動すること、または新しい位置ロケーションセッションのネットワーク開始を待つことのいずれかを行わせるためのプログラムコードと、
前記位置ロケーションセッションが起動していないとき、少なくとも１つのコンピュータに、前記第２のＲＡＴの測位プロトコルを用いて位置ロケーションセッションを開始させるためのプログラムコードと
を備える、コンピュータプログラム。
【請求項１２】
少なくとも１つのコンピュータに、前記ユーザ機器のインターネットプロトコルアドレスが前記ＲＡＴ間システム変更中に維持されるときを決定させるためのプログラムコードと、
前記インターネットプロトコルアドレスが維持されるとき、少なくとも１つのコンピュータに、前記位置ロケーションセッションが起動しているかどうかを決定させるためのプログラムコードと、
前記インターネットプロトコルアドレスが維持されないとき、少なくとも１つのコンピュータに、新しい位置ロケーションセッションを起動させるためのプログラムコードと
をさらに備える、請求項１１に記載のコンピュータプログラム。
【請求項１３】
少なくとも１つのコンピュータに、トランスポートレイヤセキュリティ（ＴＬＳ）プロトコル交換が完了しているかどうかを決定させるためのプログラムコードと、
前記ＴＬＳプロトコル交換が完了しているとき、少なくとも１つのコンピュータに、セキュアユーザプレーンロケーションプロトコルタイムアウトが発生したかどうかを決定させるためのプログラムコードと、
前記ＴＬＳプロトコル交換が完了しておらず、ＴＬＳプロトコルエラーが示されないとき、少なくとも１つのコンピュータに、前記ＴＬＳプロトコル交換を継続させるためのプログラムコードと、
ＴＬＳプロトコルエラーが示されたとき、少なくとも１つのコンピュータに、前記ＴＬＳプロトコル交換を再起動するためのプログラムコードと
をさらに備える、請求項１１に記載のコンピュータプログラム。
【請求項１４】
少なくとも１つのコンピュータに、位置ロケーションセッションが起動しているかどうかを決定させるための前記プログラムコードは、少なくとも１つのコンピュータに、セキュアユーザプレーンロケーション位置初期化メッセージが送られたかどうかを決定させるためのプログラムコードを備える、請求項１１に記載のコンピュータプログラム。
【請求項１５】
前記位置ロケーションセッションがＬｏｎｇ  Ｔｅｒｍ  Ｅｖｏｌｕｔｉｏｎ（ＬＴＥ）測位プロトコル（ＬＰＰ）を使用する、請求項１１に記載のコンピュータプログラム。
【請求項１６】
ワイヤレス通信のために構成された装置であって、
少なくとも１つのプロセッサと、
前記少なくとも１つのプロセッサに結合されたメモリとを備え、
前記少なくとも１つのプロセッサは、
第１の無線アクセス技術（ＲＡＴ）のソース基地局から第２のＲＡＴのターゲット基地局へのユーザ機器の無線アクセス技術（ＲＡＴ）間システム変更を実行することと、
位置ロケーションセッションが起動しているかどうかを決定することと、
前記位置ロケーションセッションが起動しているとき、前記第１のＲＡＴとともに使用される測位プロトコルが前記第２のＲＡＴに適合するかどうかを決定することと、
前記第１のＲＡＴの前記測位プロトコルが前記第２のＲＡＴに適合するとき、前記測位プロトコルを用いて前記位置ロケーションセッションを継続することと、
前記測位プロトコルが前記第２のＲＡＴに適合しないとき、前記位置ロケーションセッションを再起動すること、または新しい位置ロケーションセッションのネットワーク開始を待つことのいずれかを行うことと、
前記位置ロケーションセッションが起動していないとき、前記第２のＲＡＴの測位プロトコルを用いて位置ロケーションセッションを開始することと
を行うように構成された、装置。
【請求項１７】
前記少なくとも１つのプロセッサは、
前記ユーザ機器のインターネットプロトコルアドレスが前記ＲＡＴ間システム変更中に維持されるときを決定することと、
前記インターネットプロトコルアドレスが維持されるとき、前記位置ロケーションセッションが起動しているかどうかを決定することと、
前記インターネットプロトコルアドレスが維持されないとき、新しい位置ロケーションセッションを起動することと
を行うようにさらに構成された、請求項１６に記載の装置。
【請求項１８】
前記少なくとも１つのプロセッサは、
トランスポートレイヤセキュリティ（ＴＬＳ）プロトコル交換が完了しているかどうかを決定することと、
前記ＴＬＳプロトコル交換が完了しているとき、セキュアユーザプレーンロケーションプロトコルタイムアウトが発生したかどうかを決定することと、
前記ＴＬＳプロトコル交換が完了しておらず、ＴＬＳプロトコルエラーが示されないとき、前記ＴＬＳプロトコル交換を継続することと、
ＴＬＳプロトコルエラーが示されたとき、前記ＴＬＳプロトコル交換を再起動することと
を行うようにさらに構成された、請求項１６に記載の装置。
【請求項１９】
前記少なくとも１つのプロセッサは、セキュアユーザプレーンロケーション位置初期化メッセージが送られたかどうかを決定するようにさらに構成された、請求項１６に記載の装置。
【請求項２０】
前記位置ロケーションセッションがＬｏｎｇ  Ｔｅｒｍ  Ｅｖｏｌｕｔｉｏｎ（ＬＴＥ）測位プロトコル（ＬＰＰ）を使用する、請求項１６に記載の装置。
【発明の詳細な説明】
【技術分野】
【０００１】
[0001]本開示の態様は、一般にワイヤレス通信システムに関し、より詳細には、無線アクセス技術間で動作するときにロケーションベースサービスの継続性を維持することに関する。
【背景技術】
【０００２】
[0002]ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００３】
[0003]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。
【発明の概要】
【０００４】
[0004]ワイヤレス通信中にロケーションベースサービスを管理するための方法を提供する。本方法は、第１の無線アクセス技術（ＲＡＴ）のソース基地局から第２のＲＡＴのターゲット基地局へのユーザ機器のＲＡＴ間システム変更を実行することを含む。本方法はまた、位置ロケーションセッションが起動しているかどうかを決定することを含む。本方法は、位置ロケーションセッションが起動しているとき、第１のＲＡＴとともに使用される測位（位置特定）プロトコルが第２のＲＡＴに適合するかどうかを決定することをさらに含む。本方法は、第１のＲＡＴの測位プロトコルが第２のＲＡＴに適合するとき、その測位プロトコルを用いて位置ロケーションセッションを継続することをまたさらに含む。本方法はまた、測位プロトコルが第２のＲＡＴに適合しないとき、位置ロケーションセッションを再起動すること、または新しい位置ロケーションセッションのネットワーク開始を待つことのいずれかを含む。本方法は、位置ロケーションセッションが起動していないとき、第２のＲＡＴの測位プロトコルを用いて位置ロケーションセッションを開始することをさらに含む。
【０００５】
[0005]ワイヤレス通信のための装置を提供する。本装置は、第１の無線アクセス技術（ＲＡＴ）のソース基地局から第２のＲＡＴのターゲット基地局へのユーザ機器のＲＡＴ間システム変更を実行するための手段を含む。本装置はまた、位置ロケーションセッションが起動しているかどうかを決定するための手段を含む。本装置は、位置ロケーションセッションが起動しているとき、第１のＲＡＴとともに使用される測位プロトコルが第２のＲＡＴに適合するかどうかを決定するための手段をさらに含む。本装置は、第１のＲＡＴの測位プロトコルが第２のＲＡＴに適合するとき、その測位プロトコルを用いて位置ロケーションセッションを継続するための手段をまたさらに含む。本装置はまた、測位プロトコルが第２のＲＡＴに適合しないとき、位置ロケーションセッションを再起動すること、または新しい位置ロケーションセッションのネットワーク開始を待つことのいずれかを行うための手段を含む。本装置は、位置ロケーションセッションが起動していないとき、第２のＲＡＴの測位プロトコルを用いて位置ロケーションセッションを開始するための手段をさらに含む。
【０００６】
[0006]ワイヤレス通信のためのコンピュータプログラム製品を提供する。本コンピュータプログラム製品は、プログラムコードを記録した非一時的コンピュータ可読媒体を含む。プログラムコードは、第１の無線アクセス技術（ＲＡＴ）のソース基地局から第２のＲＡＴのターゲット基地局へのユーザ機器のＲＡＴ間システム変更を実行するためのプログラムコードを含む。プログラムコードはまた、位置ロケーションセッションが起動しているかどうかを決定するためのプログラムコードを含む。プログラムコードは、位置ロケーションセッションが起動しているとき、第１のＲＡＴとともに使用される測位プロトコルが第２のＲＡＴに適合するかどうかを決定するためのプログラムコードをさらに含む。プログラムコードは、第１のＲＡＴの測位プロトコルが第２のＲＡＴに適合するとき、その測位プロトコルを用いて位置ロケーションセッションを継続するためのプログラムコードをまたさらに含む。プログラムコードはまた、測位プロトコルが第２のＲＡＴに適合しないとき、位置ロケーションセッションを再起動すること、または新しい位置ロケーションセッションのネットワーク開始を待つことのいずれかを行うためのプログラムコードを含む。プログラムコードは、位置ロケーションセッションが起動していないとき、第２のＲＡＴの測位プロトコルを用いて位置ロケーションセッションを開始するためのプログラムコードをさらに含む。
【０００７】
[0007]ワイヤレス通信のための装置を提供する。本装置は、（１つまたは複数の）プロセッサと（１つまたは複数の）プロセッサに結合されたメモリとを含む。（１つまたは複数の）プロセッサは、第１の無線アクセス技術（ＲＡＴ）のソース基地局から第２のＲＡＴのターゲット基地局へのユーザ機器のＲＡＴ間システム変更を実行するように構成される。（１つまたは複数の）プロセッサはまた、位置ロケーションセッションが起動しているかどうかを決定するように構成される。（１つまたは複数の）プロセッサは、位置ロケーションセッションが起動しているとき、第１のＲＡＴとともに使用される測位プロトコルが第２のＲＡＴに適合するかどうかを決定するようにさらに構成される。（１つまたは複数の）プロセッサは、第１のＲＡＴの測位プロトコルが第２のＲＡＴに適合するとき、その測位プロトコルを用いて位置ロケーションセッションを継続するようにまたさらに構成される。（１つまたは複数の）プロセッサはまた、測位プロトコルが第２のＲＡＴに適合しないとき、位置ロケーションセッションを再起動すること、または新しい位置ロケーションセッションのネットワーク開始を待つことのいずれかを行うように構成される。（１つまたは複数の）プロセッサは、位置ロケーションセッションが起動していないとき、第２のＲＡＴの測位プロトコルを用いて位置ロケーションセッションを開始するようにさらに構成される。
【０００８】
[0008]ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【０００９】
[0009]本開示の特徴、特性、および利点は、全体を通じて同様の参照符号が同様のものを指す図面とともに、以下に記載する発明を実施するための形態を読めばより明らかになろう。
【図面の簡単な説明】
【００１０】
【図１】[0010]電気通信システムの一例を概念的に示すブロック図。
【図２】[0011]電気通信システムにおけるダウンリンクフレーム構造の一例を概念的に示す図。
【図３】[0012]アップリンク通信における例示的なフレーム構造を概念的に示すブロック図。
【図４】[0013]本開示の一態様に従って構成された基地局／ｅノードＢおよびＵＥの設計を概念的に示すブロック図。
【図５】[0014]ロケーションベースサービスコールフローを示すブロック図。
【図６】[0015]本開示の一態様による、ロケーションベースサービス継続性を維持するための方法を示すブロック図。
【図７】[0016]本開示の一態様による、ロケーションベースサービス継続性を維持するための方法を示すブロック図。
【図８】[0017]本開示の一態様による、ロケーションベースサービス継続性を維持するための構成要素を示すブロック図。
【詳細な説明】
【００１１】
[0018]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１２】
[0019]本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のネットワークなど、様々なワイヤレス通信ネットワークのために使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ）（登録商標）およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡ技術およびＥ−ＵＴＲＡ技術はＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる団体からの文書に記載されている。ＣＤＭＡ２０００（登録商標）およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１３】
[0020]図１に、ＲＡＴ間モビリティとともにロケーションベースサービス継続性を維持することが実装され得る、ＬＴＥネットワークであり得るワイヤレス通信ネットワーク１００を示す。ワイヤレスネットワーク１００は、いくつかの発展型ノードＢ（ｅノードＢ）１１０と他のネットワークエンティティとを含む。ｅノードＢは、ＵＥと通信する局であり得、基地局、ノードＢ、アクセスポイントなどと呼ばれることもある。各ｅノードＢ１１０は、特定の地理的エリアに通信カバレージを与え得る。３ＧＰＰでは、「セル」という用語は、この用語が使用されるコンテキストに応じて、ｅノードＢのこの特定の地理的カバレージエリアおよび／またはこのカバレージエリアをサービスするｅノードＢサブシステムを指すことがある。
【００１４】
[0021]ｅノードＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢである。ｅノードＢ１１０ｘは、ピコセル１０２ｘのためのピコｅノードＢである。また、ｅノードＢ１１０ｙおよび１１０ｚは、それぞれフェムトセル１０２ｙおよび１０２ｚのためのフェムトｅノードＢである。ｅノードＢは、１つまたは複数の（たとえば、２つ、３つ、４つなどの）セルをサポートし得る。
【００１５】
[0022]ワイヤレスネットワーク１００はまた、中継局を含み得る。中継局は、上流局（たとえば、ｅノードＢ、ＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００１６】
[0023]ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、およびリレーは、より低い送信電力レベル（たとえば、１ワット）を有し得る。
【００１７】
[0024]ワイヤレスネットワーク１００は、同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作または非同期動作のいずれかのために使用され得る。
【００１８】
[0025]一態様では、ワイヤレスネットワーク１００は、周波数分割複信（ＦＤＤ）動作モードまたは時分割複信（ＴＤＤ）動作モードをサポートし得る。本明細書で説明する技法は、ＦＤＤ動作モードまたはＴＤＤ動作モードのために使用され得る。
【００１９】
[0026]ネットワークコントローラ１３０は、ｅノードＢ１１０のセットに結合し、これらのｅノードＢ１１０の協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２０】
[0027]ＵＥ１２０（たとえば、ＵＥ１２０ｘ、ＵＥ１２０ｙなど）はワイヤレスネットワーク１００全体にわたって分散され、各ＵＥは固定またはモバイルであり得る。ＵＥは、端末、ユーザ端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２１】
[0028]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０、１５または２０ＭＨｚの対応するシステム帯域幅に対してそれぞれ１つ、２つ、４つ、８つまたは１６個のサブバンドがあり得る。
【００２２】
[0029]図２に、ＬＴＥにおいて使用されるダウンリンクＦＤＤフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２３】
[0030]ＬＴＥでは、ｅノードＢは、ｅノードＢ中の各セルについて１次同期信号（ＰＳＣまたはＰＳＳ：primary synchronization signal）と２次同期信号（ＳＳＣまたはＳＳＳ：secondary synchronization signal）とを送り得る。ＦＤＤ動作モードの場合、１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ＦＤＤ動作モードの場合、ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２４】
[0031]ｅノードＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。また、図２に示す例では、ＰＤＣＣＨおよびＰＨＩＣＨは最初の３つのシンボル期間中に含まれている。ＰＨＩＣＨは、ハイブリッド自動再送（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥについてのデータを搬送し得る。
【００２５】
[0032]ｅノードＢは、ｅノードＢによって使用されるシステム帯域幅の中心１．０８ＭＨｚにおいてＰＳＣ、ＳＳＣおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分においてＵＥのグループにＰＤＳＣＨを送り得る。ｅノードＢは、すべてのＵＥにブロードキャスト方式でＰＳＣ、ＳＳＣ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方式でＰＤＳＣＨを送り得る。
【００２６】
[0033]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。制御チャネルのために使用されるシンボルの場合、各シンボル期間中に基準信号のために使用されないリソース要素は、リソース要素グループ（ＲＥＧ）に構成され得る。各ＲＥＧは、１つのシンボル期間中の４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３６または７２個のＲＥＧを占有し得る。ＲＥＧのいくつかの組合せのみがＰＤＣＣＨに対して可能にされ得る。
【００２７】
[0034]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨ中のすべてのＵＥに対して可能にされた組合せの数よりも少ない。ｅノードＢは、ＵＥが探索することになる組合せのいずれかにおいてＵＥにＰＤＣＣＨを送り得る。
【００２８】
[0035]ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００２９】
[0036]図３は、アップリンクロングタームエボリューション（ＬＴＥ）通信における例示的なＦＤＤおよびＴＤＤ（特殊ではないサブフレームのみ）サブフレーム構造を概念的に示すブロック図である。アップリンクのために利用可能なリソースブロック（ＲＢ）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３０】
[0037]ＵＥは、ｅノードＢに制御情報を送信するために制御セクション中のリソースブロックを割り当てられ得る。ＵＥはまた、ｅノードＢにデータを送信するためにデータセクション中のリソースブロックを割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。一態様によれば、緩和シングルキャリア動作では、並列チャネルはＵＬリソース上で送信され得る。たとえば、制御およびデータチャネル、並列制御チャネル、ならびに並列データチャネルがＵＥによって送信され得る。
【００３１】
[0038]ＰＳＣ（１次同期キャリア：primary synchronization carrier）、ＳＳＣ（２次同期キャリア：secondary synchronization carrier）、ＣＲＳ（共通基準信号：common reference signal）、ＰＢＣＨ、ＰＵＣＣＨ、ＰＵＳＣＨ、およびＬＴＥにおいて使用される他のそのような信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３２】
[0039]図４に、図１の基地局／ｅノードＢのうちの１つであり得る基地局／ｅノードＢ１１０および図１のＵＥのうちの１つであり得るＵＥ１２０の設計のブロック図を示す。たとえば、基地局１１０は、図１のマクロｅノードＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００３３】
[0040]基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ４２０は、データと制御情報とを処理（たとえば、符号化およびシンボルマッピング）して、それぞれデータシンボルと制御シンボルとを取得し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、（たとえば、ＯＦＤＭなどの）それぞれの出力シンボルストリームを処理して、出力サンプルストリームを取得し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００３４】
[0041]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、それぞれの受信信号を調整（たとえば、フィルタ処理、増幅、ダウンコンバート、およびデジタル化）して、入力サンプルを取得し得る。各復調器４５４は、さらに、（たとえば、ＯＦＤＭなどの）入力サンプルを処理して、受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００３５】
[0042]アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（たとえば、ＳＣ−ＦＤＭなどのために）変調器４５４ａ〜４５４ｒによって処理され、基地局１１０に送信され得る。基地局１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。プロセッサ４３８は、復号されたデータをデータシンク４３９に与え、復号された制御情報をコントローラ／プロセッサ４４０に与え得る。基地局１１０は、たとえば、Ｘ２インターフェース４４１を介して他の基地局にメッセージを送ることができる。
【００３６】
[0043]コントローラ／プロセッサ４４０および４８０は、それぞれ基地局１１０およびＵＥ１２０における動作を指示し得る。基地局１１０におけるプロセッサ４４０および／または他のプロセッサならびにモジュールは、本明細書で説明する技法についての様々なプロセスを実行するか、またはその実行を指示し得る。ＵＥ１２０におけるプロセッサ４８０および／または他のプロセッサならびにモジュールはまた、図５〜図６の使用方法フローチャートに示す機能ブロック、および／または本明細書で説明する技法のための他のプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００３７】
[0044]ワイヤレス通信では、ハンドオーバ中に潜在的な候補基地局を決定すること、近くの当該ポイントを識別することなど、ＵＥの物理的ロケーションに関係する様々な動作を実行するために、ロケーションベースサービス（ＬＢＳ）がＵＥによって使用され得る。ＬＴＥ／−Ａ無線アクセス技術（ＲＡＴ）を使用するネットワークでは、ＬＴＥ測位プロトコル（ＬＰＰ：LTE Positioning Protocol）と呼ばれる測位プロトコルが使用され得る。ＬＴＥ測位プロトコルは、ロケーションベース機能を要求／提供する、支援データを要求／提供する、およびロケーション情報を要求／提供するなど、特殊なロケーション関係メッセージを用いてＵＥとロケーションサーバとの間の通信を可能にする。アボートおよびエラーなどのメッセージも可能である。ＬＴＥ測位プロトコルはユーザプレーンまたは制御プレーン上で動作し得る。ユーザプレーン上で、ＬＴＥ測位プロトコルはセキュアユーザプレーンロケーション（ＳＵＰＬ）プロトコル、バージョン２．０によって搬送され得る。
【００３８】
[0045]ＵＥとセキュアユーザプレーンロケーションサーバとの間の通信はＳＵＰＬロケーションプラットフォーム（ＳＬＰ）を使用し得る。ＳＵＰＬロケーションプラットフォーム通信は、セキュアな伝送制御プロトコル／インターネットプロトコル（ＴＣＰ／ＩＰ）接続を介してトランスポートされる。セキュアなインターネットプロトコル（ＩＰ）接続は、（Ｉｎｔｅｒｎｅｔ  Ｅｎｇｉｎｅｅｒｉｎｇ  Ｔａｓｋ  Ｆｏｒｃｅ  Ｒｅｑｕｅｓｔ  ｆｏｒ  Ｃｏｍｍｅｎｔｓ  ４３４６に記載されている）トランスポートレイヤセキュリティ（ＴＬＳ）１．１プロトコルを使用して確立され得る。トランスポートレイヤセキュリティプロトコルは、ロケーション情報のプライバシーを維持するために、ロケーションデータを暗号化することを可能にする。
【００３９】
[0046]ＵＥとＳＵＰＬとの間のネットワーク主導型ロケーションベースサービスコールフローを図５に示す。図示のように、ＵＥ５０２は、ＳＵＰＬロケーションプラットフォームサーバ５０４からＳＵＰＬ初期化メッセージ５０６を受信する。ＵＥ５０２は、次いで、ＳＵＰＬロケーションプラットフォーム（ＳＬＰ）サーバ５０４とトランスポートレイヤセキュリティ（ＴＬＳ）プロトコルメッセージを交換する。それらのＴＬＳメッセージは、ＵＥ５０２からのＴＬＳクライアントｈｅｌｌｏメッセージ５０８、ＳＬＰサーバ５０４からのＴＬＳサーバｈｅｌｌｏメッセージ５１０、ＵＥ５０２とＳＬＰサーバ５０４との間のＴＬＳ証明書および鍵交換５１２、ならびにＵＥ５０２とＳＬＰサーバ５０４との間を往復するＴＬＳ完了メッセージ５１４および５１６を含む。ＵＥ５０２は、次いで、ＳＬＰサーバ５０４にＳＵＰＬ位置初期化メッセージ５１８を送る。ＵＥ５０２は、次いで、ＳＬＰサーバ５０４とＬＴＥ測位プロトコル（ＬＰＰ）メッセージを交換する。それらのＬＰＰメッセージは、ＳＬＰサーバ５０４からＵＥ５０２へのロケーション情報要求メッセージ５２０、ＵＥ５０２からＳＬＰサーバ５０４への支援データ要求メッセージ５２２、ＳＬＰサーバ５０４からＵＥ５０２への支援データ提供メッセージ５２４、およびＵＥ５０２からＳＬＰサーバ５０４へのロケーション情報提供メッセージ５２６を含む。これらのＬＬＰメッセージは、ＵＥが、衛星収集データまたは測定データなどの情報を用いてそれのロケーションを識別するのを支援し得る。最後に、ＳＬＰサーバ５０４はＵＥ５０２にＳＵＰＬ終了メッセージ５２８を送る。
【００４０】
[0047]図示したＬＢＳコールフロー中に、ＬＴＥ測位プロトコルにおいて定義されているいくつかのプロトコルタイマーが使用され得る。たとえば、いくつかのタイマーは１秒のオーダーであり、他のタイマーは１０秒のオーダーである。たとえば、タイマーＳＴ２  ５３０は、ＳＵＰＬ初期化メッセージ５０６を送ることと、ＳＵＰＬ位置初期化メッセージ５１８を受信することとの間の時間を追跡するサーバタイマーを示す。タイマーＵＴ２  ５３２は、ＳＵＰＬ位置初期化メッセージ５１８を送ることと、ＬＰＰロケーション情報要求メッセージ５２０を受信することとの間の時間を追跡するＵＥタイマーを示す。タイマーＵＴ３  ５３４は、ＬＰＰロケーション情報提供メッセージ５２６を送ることと、ＳＵＰＬ終了メッセージ５２８を受信することとの間の時間を追跡するＵＥタイマーを示す。これらのイベントのいずれかの間の時間が期待値を超える場合、エラーが示され得る。コールフロー中のエラーの場合、セッションは最初からの再起動を必要としないことがある。たとえば、ＬＰＰメッセージの交換中にタイムアウトがあった場合、ＳＵＰＬプロトコルは、ＴＬＳメッセージの交換から継続することができるか、または場合によっては、以前のＬＰＰメッセージから継続することができる。
【００４１】
[0048]ＳＵＰＬプロトコルは、ＬＴＥ測位プロトコルのために使用されるだけでなく、無線リソースロケーションサービスプロトコル（ＲＲＬＰ）のため、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）または広帯域符号分割多元接続（ＷＣＤＭＡ）ネットワークにおける無線リソース制御（ＲＲＣ）のため、および符号分割多元接続（ＣＤＭＡ）ネットワークにおけるＩＳ−８０１のためにも使用され得る。ＲＲＬＰはまた、ＬＴＥネットワークにおいても使用され得る。以下の表１に、異なるロケーションベースサービスプロトコルが、ネットワークに応じて、ワイヤレス通信のための異なるレイヤにおいてどのように使用されるかを示す。
【表１】
0005781695.tif 000002
【００４２】
たとえば、ＬＴＥネットワークについて表１に示すように、ＬＴＥ測位プロトコル（ＬＰＰ）は、セキュアユーザプレーンロケーション（ＳＵＰＬ）プロトコルの上に位置し、ＳＵＰＬプロトコルは、伝送制御プロトコル／インターネットプロトコル（ＴＣＰ／ＩＰ）の上に位置する。
【００４３】
[0049]いくつかの状況では、ＵＥは、ある無線アクセス技術（ＲＡＴ）ネットワークから別のＲＡＴに変更し得る。ＵＥがＲＡＴ間システム変更に関与し得るときの例としては、（アクティブモードハンドオーバおよびパケット交換ハンドオーバを含む）ハンドオーバ、（１ｘ回線交換フォールバックによってトリガされたリダイレクションなどの）リダイレクション、セル再選択、または圏外シナリオがある。ＵＥがＲＡＴ間システム変更に関与し、それのＩＰアドレスを維持することが可能でない場合、新しいロケーションベースサービスセッションが起動される。しかしながら、いくつかのＲＡＴ間モビリティシナリオでは、ＵＥは、ＲＡＴ間システム変更の後にインターネットプロトコル（ＩＰ）アドレスを維持することが可能である。それらのＩＰ維持システム変更は以下を含む。
【００４４】
・ＬＴＥネットワークから発展型高速パケットデータ（ｅＨＲＰＤ：evolved High Rate Packet Data）ネットワークへのモビリティ
・ｅＨＲＰＤネットワークからＬＴＥネットワークへのモビリティ
・ＬＴＥネットワークからＷＣＤＭＡ／ＧＳＭネットワークへのモビリティ
・ＷＣＤＭＡ／ＧＳＭネットワークからＬＴＥネットワークへのモビリティ
・ＧＳＭネットワークからＷＣＤＭＡネットワークへのモビリティ
・ＷＣＤＭＡネットワークからＧＳＭネットワークへのモビリティ
[0050]ＵＥによって維持されるＩＰアドレスを使用する一態様では、この不確実性に対処し、ＲＡＴ間モビリティ中のロケーションベースサービス継続性を改善するための方法を提供する。詳細には、ＲＡＴ間モビリティイベント中にＳＵＰＬベースのロケーションベースサービスプロトコルを扱うためのプロシージャを提供する。提案するプロシージャは、既存のプロトコル状態をできる限り継続し、したがって、進行中のロケーションベースサービスの中断を低減することを目的とする。図６に、本開示の一態様による、ロケーションベースサービス継続性を維持するための１つのＵＥ方法を示す。
【００４５】
[0051]ブロック６０２において、ＲＡＴ間モビリティイベントが終了すると、ブロック６０４において、ＵＥは、ＩＰアドレスが維持されたかどうかを決定する。これは、非アクセス層プロトコルによって決定され得る。ブロック６０６に示すように、ＩＰアドレスが維持されず、呼がモバイル発信（ＭＯ）である場合、ＵＥはＳＵＰＬセッションを最初から再起動する。ＩＰアドレスが維持されず、呼がモバイル着信（ＭＴ）である場合、ＵＥは、ネットワークが新しいロケーションベースサービスセッションを開始するのを待つ。
【００４６】
[0052]ＩＰアドレスが維持された場合、ＵＥは、ブロック６０８に示すように、トランスポートレイヤセキュリティ（ＴＬＳ）セッションが完了しているかどうかを検査する。ブロック６１０に示すように、ＴＬＳセッションが完了しておらず、エラーがなかった場合、ＵＥはＴＬＳセッションを継続する。ＴＬＳセッションが完了しておらず、エラーがあった場合、ＵＥは接続を閉じ、新しいＴＬＳセッションを再起動する。ＴＬＳセッションが完了している場合、ＵＥは、ブロック６１２に示すように、ＳＵＰＬタイムアウトがあったかどうかを検査する。ブロック６１４に示すように、ＳＵＰＬタイムアウトがあり、呼がモバイル主導型であった場合、ＵＥは、（たとえば、図５中のＳＵＰＬ位置初期化メッセージ５１８から継続して）同じＴＬＳセッションを維持しながらＳＵＰＬセッションを再起動する。ＳＵＰＬタイムアウトがあり、呼がモバイル着信であった場合、ＵＥはＳＵＰＬ終了メッセージを送り、ネットワークが次の通信を開始するのを待つ。ＳＵＰＬタイムアウトがなかった場合、ＵＥは、ブロック６１６に示すように、ＳＵＰＬ位置初期化メッセージが送られたかどうかを検査する。ＳＵＰＬ位置初期化メッセージが送られなかった場合、ＵＥは、ブロック６１８に示すように、ターゲットネットワークの測位方法を使用して、（たとえば、ＳＵＰＬ位置初期化を用いて）セキュアユーザプレーンロケーション（ＳＵＰＬ）プロトコルを継続する。
【００４７】
[0053]ブロック６２０に示すように、ＳＵＰＬ位置初期化メッセージが送られた場合、ＵＥは、ＵＥが前のネットワークとともに使用していた測位方法が、ターゲットネットワークとともに動作可能であるかどうかを検査する。前のネットワークの測位方法がターゲットネットワークとともに動作可能である場合、ＵＥは、ブロック６２２に示すように、ターゲットネットワークとともに前のネットワークの測位方法を使用して継続する。
【００４８】
[0054]ブロック６１４に示すように、前のネットワークの測位方法がターゲットネットワークとともに動作可能でなく、呼がモバイル発信であった場合、ＵＥは、同じＴＬＳセッションを維持しながらＳＵＰＬセッションを再起動する。前のネットワークの測位方法がターゲットネットワークとともに動作可能でなく、呼がモバイル着信であった場合、ＵＥは、ＳＵＰＬ終了メッセージを送り、ネットワークが次の通信を開始するのを待つ。
【００４９】
[0055]以下の表２に、ソースＲＡＴと、ソースＲＡＴにおいてＵＥによって使用されているロケーションベースサービスプロトコルとに基づいて、特定のターゲットＲＡＴのためにどんな測位方法プロトコルが使用されるかを示す。ターゲット無線アクセス技術は列ヘッダに示され、ソース無線アクセス技術はそれらのプロトコルとともに行ヘッダに示されている。たとえば、ロケーションベースサービスプロトコルとしてＬＰＰを使用するＵＥがＬＴＥからＷＣＤＭＡに移動される場合、ＵＥは、それの新しいロケーションベースサービスプロトコルとしてＲＲＬＰまたはＲＲＣのいずれかを使用すべきである。別の例では、ロケーションベースサービスプロトコルとしてＲＲＬＰを使用するＵＥがＬＴＥからＷＣＤＭＡに移動される場合、ＵＥは、新しいプロトコルとして同様にＲＲＬＰを使用し続けるべきである。ＵＥが同じロケーションベースサービスプロトコルを使用し続け得る移動シナリオは、「同じ」という表記によって示されている。表２に示すような比較は、上記で説明した図６のブロック６２０においてＵＥによって検査され得る。
【表２】
0005781695.tif 000003
【００５０】
[0056]図７に、ＲＡＴ間移動中にロケーションベースサービスを維持するための方法７００を示す。ブロック７０２において、ＵＥは、第１の無線アクセス技術（ＲＡＴ）のソース基地局から第２のＲＡＴのターゲット基地局へのユーザ機器のＲＡＴ間システム変更を実行する。ブロック７０４において、ＵＥは、位置ロケーションセッションが起動しているかどうかを決定する。はいの場合、ブロック７０８において、ＵＥは、第１のＲＡＴの測位プロトコルが第２のＲＡＴに適合するかどうかを決定する。第１のＲＡＴの測位プロトコルが第２のＲＡＴに適合する場合、ＵＥは、ブロック７１０に示すように、第１のＲＡＴの測位プロトコルを用いて位置ロケーションセッションを継続する。第１のＲＡＴの測位プロトコルが第２のＲＡＴに適合しない場合、ＵＥは、ブロック７１２に示すように、位置ロケーションセッションを再起動するか、または新しい位置ロケーションセッションのネットワーク開始を待つ。ブロック７１４に示すように、ＵＥは、位置ロケーションセッションが起動していないとき、第２のＲＡＴの測位プロトコルを用いて位置ロケーションセッションを開始する。
【００５１】
[0057]一構成では、第１の無線アクセス技術（ＲＡＴ）のソース基地局から第２のＲＡＴのターゲット基地局へのユーザ機器のＲＡＴ間システム変更を実行するための手段を含む、ワイヤレス通信のためのＵＥ１２０が構成される。一態様では、手段は、アンテナ４５２、コントローラ／プロセッサ４８０、受信プロセッサ４５８、送信プロセッサ４６４、および／またはメモリ４８２であり得る。ＵＥはまた、位置ロケーションセッションが起動しているかどうかを決定するための手段を含む。ＵＥは、位置ロケーションセッションが起動しているとき、第１のＲＡＴとともに使用される測位プロトコルが第２のＲＡＴに適合するかどうかを決定するための手段をさらに含む。ＵＥは、第１のＲＡＴの測位プロトコルが第２のＲＡＴに適合するとき、その測位プロトコルを用いて位置ロケーションセッションを継続するための手段をまたさらに含む。ＵＥはまた、測位プロトコルが第２のＲＡＴに適合しないとき、位置ロケーションセッションを再起動すること、または新しい位置ロケーションセッションのネットワーク開始を待つことのいずれかを行うための手段を含む。ＵＥは、位置ロケーションセッションが起動していないとき、第２のＲＡＴの測位プロトコルを用いて位置ロケーションセッションを開始するための手段をさらに含む。一態様では、これらの手段は、コントローラ／プロセッサ４８０、受信プロセッサ４５８、送信プロセッサ４６４、および／またはメモリ４８２であり得る。別の態様では、上述の手段は、上述の手段によって具陳した機能を実行するように構成されたモジュールまたは任意の装置を含み得る。
【００５２】
[0058]図８に、図４のＵＥ１２０などのＵＥのための装置８００の設計を示す。装置８００は、第１の無線アクセス技術（ＲＡＴ）のソース基地局から第２のＲＡＴのターゲット基地局へのユーザ機器のＲＡＴ間システム変更を実行するためのモジュール８０２を含む。装置８００はまた、位置ロケーションセッションが起動しているかどうかを決定するためのモジュール８０４を含む。装置８００はまた、位置ロケーションセッションが起動しているとき、第１のＲＡＴとともに使用される測位プロトコルが第２のＲＡＴに適合するかどうかを決定するためのモジュール８０６を含む。装置８００はまた、第１のＲＡＴの測位プロトコルが第２のＲＡＴに適合するとき、その測位プロトコルを用いて位置ロケーションセッションを継続するためのモジュール８０８を含む。装置８００はまた、測位プロトコルが第２のＲＡＴに適合しないとき、位置ロケーションセッションを再起動すること、または新しい位置ロケーションセッションのネットワーク開始を待つことのいずれかを行うためのモジュール８１０を含む。装置８００はまた、位置ロケーションセッションが起動していないとき、第２のＲＡＴの測位プロトコルを用いて位置ロケーションセッションを開始するためのモジュール８１２を含む。図８のモジュールは、プロセッサ、電子デバイス、ハードウェアデバイス、電子構成要素、論理回路、メモリ、ソフトウェアコード、ファームウェアコードなど、またはそれらの任意の組合せを含み得る。
【００５３】
[0059]上記で説明した技法は、ＵＥが、可能な場合、既存のロケーションベースサービスセッションを使用し続けることを可能にする。そのような技法は、サービス中断を低減し、サービス継続性を改善することができる。
【００５４】
[0060]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００５５】
[0061]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００５６】
[0062]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００５７】
[0063]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含み得る。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００５８】
[0064]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ワイヤレス通信中にロケーションベースサービスを管理するための方法であって、
第１の無線アクセス技術（ＲＡＴ）のソース基地局から第２のＲＡＴのターゲット基地局へのユーザ機器の無線アクセス技術（ＲＡＴ）間システム変更を実行することと、
位置ロケーションセッションが起動しているかどうかを決定することと、
前記位置ロケーションセッションが起動しているとき、前記第１のＲＡＴとともに使用される測位プロトコルが前記第２のＲＡＴに適合するかどうかを決定することと、
前記第１のＲＡＴの前記測位プロトコルが前記第２のＲＡＴに適合するとき、前記測位プロトコルを用いて前記位置ロケーションセッションを継続することと、
前記測位プロトコルが前記第２のＲＡＴに適合しないとき、前記位置ロケーションセッションを再起動すること、または新しい位置ロケーションセッションのネットワーク開始を待つことのいずれかと、
前記位置ロケーションセッションが起動していないとき、前記第２のＲＡＴの測位プロトコルを用いて位置ロケーションセッションを開始することと
を備える、方法。
［Ｃ２］
前記ユーザ機器のインターネットプロトコルアドレスが前記ＲＡＴ間システム変更中に維持されるときを決定することと、
前記インターネットプロトコルアドレスが維持されるとき、前記位置ロケーションセッションが起動しているかどうかを決定することと、
前記インターネットプロトコルアドレスが維持されないとき、新しい位置ロケーションセッションを起動することと
をさらに備える、Ｃ１に記載の方法。
［Ｃ３］
トランスポートレイヤセキュリティ（ＴＬＳ）プロトコル交換が完了しているかどうかを決定することと、
前記ＴＬＳプロトコル交換が完了しているとき、セキュアユーザプレーンロケーションプロトコルタイムアウトが発生したかどうかを決定することと、
前記ＴＬＳプロトコル交換が完了しておらず、ＴＬＳプロトコルエラーが示されないとき、前記ＴＬＳプロトコル交換を継続することと、
ＴＬＳプロトコルエラーが示されたとき、前記ＴＬＳプロトコル交換を再起動することと
をさらに備える、Ｃ１に記載の方法。
［Ｃ４］
位置ロケーションセッションが起動しているかどうかを前記決定することは、セキュアユーザプレーンロケーション位置初期化メッセージが送られたかどうかを決定することを備える、Ｃ１に記載の方法。
［Ｃ５］
前記位置ロケーションセッションがＬｏｎｇ  Ｔｅｒｍ  Ｅｖｏｌｕｔｉｏｎ（ＬＴＥ）測位プロトコル（ＬＰＰ）を使用する、Ｃ１に記載の方法。
［Ｃ６］
第１の無線アクセス技術（ＲＡＴ）のソース基地局から第２のＲＡＴのターゲット基地局へのユーザ機器の無線アクセス技術（ＲＡＴ）間システム変更を実行するための手段と、
位置ロケーションセッションが起動しているかどうかを決定するための手段と、
前記位置ロケーションセッションが起動しているとき、前記第１のＲＡＴとともに使用される測位プロトコルが前記第２のＲＡＴに適合するかどうかを決定するための手段と、
前記第１のＲＡＴの前記測位プロトコルが前記第２のＲＡＴに適合するとき、前記測位プロトコルを用いて前記位置ロケーションセッションを継続するための手段と、
前記測位プロトコルが前記第２のＲＡＴに適合しないとき、前記位置ロケーションセッションを再起動すること、または新しい位置ロケーションセッションのネットワーク開始を待つことのいずれかを行うための手段と、
前記位置ロケーションセッションが起動していないとき、前記第２のＲＡＴの測位プロトコルを用いて位置ロケーションセッションを開始するための手段と
を備える、ワイヤレス通信のための装置。
［Ｃ７］
前記ユーザ機器のインターネットプロトコルアドレスが前記ＲＡＴ間システム変更中に維持されるときを決定するための手段と、
前記インターネットプロトコルアドレスが維持されるとき、前記位置ロケーションセッションが起動しているかどうかを決定するための手段と、
前記インターネットプロトコルアドレスが維持されないとき、新しい位置ロケーションセッションを起動するための手段と
をさらに備える、Ｃ６に記載の装置。
［Ｃ８］
トランスポートレイヤセキュリティ（ＴＬＳ）プロトコル交換が完了しているかどうかを決定するための手段と、
前記ＴＬＳプロトコル交換が完了しているとき、セキュアユーザプレーンロケーションプロトコルタイムアウトが発生したかどうかを決定するための手段と、
前記ＴＬＳプロトコル交換が完了しておらず、ＴＬＳプロトコルエラーが示されないとき、前記ＴＬＳプロトコル交換を継続するための手段と、
ＴＬＳプロトコルエラーが示されたとき、前記ＴＬＳプロトコル交換を再起動するための手段と
をさらに備える、Ｃ６に記載の装置。
［Ｃ９］
位置ロケーションセッションが起動しているかどうかを決定するための前記手段は、セキュアユーザプレーンロケーション位置初期化メッセージが送られたかどうかを決定するための手段を備える、Ｃ６に記載の装置。
［Ｃ１０］
前記位置ロケーションセッションがＬｏｎｇ  Ｔｅｒｍ  Ｅｖｏｌｕｔｉｏｎ（ＬＴＥ）測位プロトコル（ＬＰＰ）を使用する、Ｃ６に記載の装置。
［Ｃ１１］
プログラムコードを記録した非一時的コンピュータ可読媒体を備え、前記プログラムコードは、
第１の無線アクセス技術（ＲＡＴ）のソース基地局から第２のＲＡＴのターゲット基地局へのユーザ機器の無線アクセス技術（ＲＡＴ）間システム変更を実行するためのプログラムコードと、
位置ロケーションセッションが起動しているかどうかを決定するためのプログラムコードと、
前記位置ロケーションセッションが起動しているとき、前記第１のＲＡＴとともに使用される測位プロトコルが前記第２のＲＡＴに適合するかどうかを決定するためのプログラムコードと、
前記第１のＲＡＴの前記測位プロトコルが前記第２のＲＡＴに適合するとき、前記測位プロトコルを用いて前記位置ロケーションセッションを継続するためのプログラムコードと、
前記測位プロトコルが前記第２のＲＡＴに適合しないとき、前記位置ロケーションセッションを再起動すること、または新しい位置ロケーションセッションのネットワーク開始を待つことのいずれかを行うためのプログラムコードと、
前記位置ロケーションセッションが起動していないとき、前記第２のＲＡＴの測位プロトコルを用いて位置ロケーションセッションを開始するためのプログラムコードと
を備える、コンピュータプログラム製品。
［Ｃ１２］
前記ユーザ機器のインターネットプロトコルアドレスが前記ＲＡＴ間システム変更中に維持されるときを決定するためのプログラムコードと、
前記インターネットプロトコルアドレスが維持されるとき、前記位置ロケーションセッションが起動しているかどうかを決定するためのプログラムコードと、
前記インターネットプロトコルアドレスが維持されないとき、新しい位置ロケーションセッションを起動するためのプログラムコードと
をさらに備える、Ｃ１１に記載のコンピュータプログラム製品。
［Ｃ１３］
トランスポートレイヤセキュリティ（ＴＬＳ）プロトコル交換が完了しているかどうかを決定するためのプログラムコードと、
前記ＴＬＳプロトコル交換が完了しているとき、セキュアユーザプレーンロケーションプロトコルタイムアウトが発生したかどうかを決定するためのプログラムコードと、
前記ＴＬＳプロトコル交換が完了しておらず、ＴＬＳプロトコルエラーが示されないとき、前記ＴＬＳプロトコル交換を継続するためのプログラムコードと、
ＴＬＳプロトコルエラーが示されたとき、前記ＴＬＳプロトコル交換を再起動するためのプログラムコードと
をさらに備える、Ｃ１１に記載のコンピュータプログラム製品。
［Ｃ１４］
位置ロケーションセッションが起動しているかどうかを決定するための前記プログラムコードは、セキュアユーザプレーンロケーション位置初期化メッセージが送られたかどうかを決定するためのプログラムコードを備える、Ｃ１１に記載のコンピュータプログラム製品。
［Ｃ１５］
前記位置ロケーションセッションがＬｏｎｇ  Ｔｅｒｍ  Ｅｖｏｌｕｔｉｏｎ（ＬＴＥ）測位プロトコル（ＬＰＰ）を使用する、Ｃ１１に記載のコンピュータプログラム製品。
［Ｃ１６］
ワイヤレス通信のために構成された装置であって、
少なくとも１つのプロセッサと、
前記少なくとも１つのプロセッサに結合されたメモリとを備え、
前記少なくとも１つのプロセッサは、
第１の無線アクセス技術（ＲＡＴ）のソース基地局から第２のＲＡＴのターゲット基地局へのユーザ機器の無線アクセス技術（ＲＡＴ）間システム変更を実行することと、
位置ロケーションセッションが起動しているかどうかを決定することと、
前記位置ロケーションセッションが起動しているとき、前記第１のＲＡＴとともに使用される測位プロトコルが前記第２のＲＡＴに適合するかどうかを決定することと、
前記第１のＲＡＴの前記測位プロトコルが前記第２のＲＡＴに適合するとき、前記測位プロトコルを用いて前記位置ロケーションセッションを継続することと、
前記測位プロトコルが前記第２のＲＡＴに適合しないとき、前記位置ロケーションセッションを再起動すること、または新しい位置ロケーションセッションのネットワーク開始を待つことのいずれかを行うことと、
前記位置ロケーションセッションが起動していないとき、前記第２のＲＡＴの測位プロトコルを用いて位置ロケーションセッションを開始することと
を行うように構成された、装置。
［Ｃ１７］
前記少なくとも１つのプロセッサは、
前記ユーザ機器のインターネットプロトコルアドレスが前記ＲＡＴ間システム変更中に維持されるときを決定することと、
前記インターネットプロトコルアドレスが維持されるとき、前記位置ロケーションセッションが起動しているかどうかを決定することと、
前記インターネットプロトコルアドレスが維持されないとき、新しい位置ロケーションセッションを起動することと
を行うようにさらに構成された、Ｃ１６に記載の装置。
［Ｃ１８］
前記少なくとも１つのプロセッサは、
トランスポートレイヤセキュリティ（ＴＬＳ）プロトコル交換が完了しているかどうかを決定することと、
前記ＴＬＳプロトコル交換が完了しているとき、セキュアユーザプレーンロケーションプロトコルタイムアウトが発生したかどうかを決定することと、
前記ＴＬＳプロトコル交換が完了しておらず、ＴＬＳプロトコルエラーが示されないとき、前記ＴＬＳプロトコル交換を継続することと、
ＴＬＳプロトコルエラーが示されたとき、前記ＴＬＳプロトコル交換を再起動することと
を行うようにさらに構成された、Ｃ１６に記載の装置。
［Ｃ１９］
前記少なくとも１つのプロセッサは、セキュアユーザプレーンロケーション位置初期化メッセージが送られたかどうかを決定するようにさらに構成された、Ｃ１６に記載の装置。
［Ｃ２０］
前記位置ロケーションセッションがＬｏｎｇ  Ｔｅｒｍ  Ｅｖｏｌｕｔｉｏｎ（ＬＴＥ）測位プロトコル（ＬＰＰ）を使用する、Ｃ１６に記載の装置。
【図１】
0005781695.tif 000004
【図２】
0005781695.tif 000005
【図３】
0005781695.tif 000006
【図４】
0005781695.tif 000007
【図５】
0005781695.tif 000008
【図６】
0005781695.tif 000009
【図７】
0005781695.tif 000010
【図８】
0005781695.tif 000011